(57)【要約】      （修正有）【課題】組み立ての作業が容易で、支持フレームの裏板下面への固着構造が簡単で裏板の成型に横向きの開孔が必要でないシートの支持装置を提供する。【解決手段】裏板３と支持フレーム４との固定は、裏板３の下面３１及び支持フレーム４の上面それぞれの前後端近くに形成してある上結合部３２１，３３１と下結合部４２１，４４１とが上下相対向の方向で互いに結合することによって行われている。支持フレーム４は、ばね鋼線材から、前端部４３１と後方へ延びてなった二叉部４３２とを有する形に曲げられてなっている中段部４３と、該前端部４３１を前から銜え付けた前段部４２と、該二叉部４３２の両後端部を後ろから銜え付けた後段部４４とを有し、また、下結合部４２１，４４１は、前段部４２及び後段部４４の上面４２Ａ，４４Ａに形成してある。【選択図】図２
0003112830.tif 000002
【実用新案登録請求の範囲】
【請求項１】
シートの下面に取り付けられて該シートを下から支持するためのシートの支持装置であって、
前記シートの下面に裏打ちとして取り付けられる裏板と、前記裏板の下面に固定された支持フレームとを具備し、
また、前記固定は、前記裏板の下面及び前記支持フレームの上面それぞれの前後端近くに形成してある上結合部と下結合部とが上下相対向の方向で互いに結合することによって行われていることを特徴とするシートの支持装置。
【請求項２】
シートの下面に取り付けられて該シートを下から支持するためのシートの支持装置であって、
前記シートの下面に裏打ちとして取り付けられる裏板と、前記裏板の下面に固定された支持フレームとを具備し、
前記固定は、前記裏板の下面及び前記支持フレームの上面それぞれの前後端近くに形成してある上結合部と下結合部とが上下相対向の方向で互いに結合することによって行われており、
前記支持フレームは、ばね鋼線材から、前端部と該前端部から後方へ左右それぞれに延びてなった二叉部とを有する形に曲げられてなっている中段部と、独立体として他に該前端部を前から銜え付けた偏平スリーブ形の前段部と、独立体として他に該二叉部の両後端部を後ろから銜え付けた偏平スリーブ形の後段部とを有し、
また、前記下結合部は、前記前段部及び前記後段部それぞれの上面に形成してあるものを有することを特徴とするシートの支持装置。
【請求項３】
シートの下面に取り付けられて該シートを下から支持するためのシートの支持装置であって、
前記シートの下面に裏打ちとして取り付けられる裏板と、前記裏板の下面に固定された支持フレームとを具備し、
前記固定は、前記裏板の下面及び前記支持フレームの上面それぞれの前後端近くに形成してある上結合部と下結合部とが上下相対向の方向で互いに結合することによって行われており、
また、前記裏板は、先細のサドル形のものであり、前記支持フレームは、前段部と、中段部と、後段部とを有し、前記前段部及び後段部はそれぞれ前記裏板の前段部及び後段部と外形が上下ほぼ一致したものであり、前記中段部は前記前段部と後段部とを前後連結した左右一対のスプリングレバーを有することを特徴とするシートの支持装置。
【請求項４】
前記支持フレームの前記前段部及び後段部はそれぞれ前記裏板の前段部及び後段部の下面にクッションシートを介して当たっていることを特徴とする請求項２または３に記載のシートの支持装置。
【請求項５】
シートの下面に取り付けられて該シートを下から支持するためのシートの支持装置であって、
前記シートの下面に裏打ちとして取り付けられる裏板と、前記裏板の下面に固定された支持フレームとを具備し、
前記裏板の下面の前後両端近くにそれぞれ第１の結合部及び第２の結合部が配置してあり、
前記支持フレームの上面の前後両端近くにそれぞれ第３の結合部及び第４の結合部が配置してあり、
また、前記第１の結合部と前記第３の結合部とは、及び、前記第２の結合部と前記第４の結合部とは、それぞれ上下相対向の方向で互いに結合していることを特徴とするシートの支持装置。
【請求項６】
前記各結合は、ねじ付けの凹凸構造で行われていることを特徴とする請求項１乃至５のいずれか一項に記載のシートの支持装置。
【請求項７】
前記第１及び第２の結合部は、すべて下へ突出してなった雌ねじ付きの円筒状突起であり、
前記第３及び第４の結合部は、すべて上へ突出してなり、且つ上端が前記支持フレームの上側へ下端が前記支持フレームの下側へと開口している円筒状突起であり、
前記第１の結合部は前記第３の結合部に、前記第２の結合部は前記第４の結合部に上から下へと挿入されており、
また、前記支持フレームの下面に、前記第３及び第４の結合部それぞれの下開口から挿入され、前記第１及び第２の結合部それぞれの雌ねじとねじ合って前記支持フレームを前記裏板に固定した第１及び第２のスクリューがついていることを特徴とする請求項６に記載のシートの支持装置。
【請求項８】
前記裏板の下面に更に下へ突出してなり、且つ下端が前記裏板の下側へ上端が前記裏板の上側へと開口している第１の円筒状補助突起が形成してあり、
前記支持フレームの上面に更に上へ突出してなった雌ねじ付きの第２の円筒状補助突起が形成してあり、
前記第２の円筒状補助突起は前記第１の円筒状補助突起に下から上へと挿入されており、
また、前記裏板の上面に、前記第１の円筒状補助突起の上開口から挿入され、前記第２の円筒状補助突起の雌ねじとねじ合って前記支持フレームを前記裏板に固定した第３のスクリューがついていることを特徴とする請求項７に記載のシートの支持装置。
【考案の詳細な説明】
【技術分野】
【０００１】
本考案は、シートの下面に取り付けられて該シートを下から支持するためのシートの支持装置に関する。
【背景技術】
【０００２】
一般に知られているこの種のシートの支持装置２は、図１のように、シート１の下面に取り付けられてシート１を下から支持するものであって、シート１の下面に裏打ちとして取り付けられる裏板２１と、裏板２１の下方に設置された支持フレーム２２と、支持フレーム２２を裏板２１の下面に固着させた固着手段２３（２３１、２３２、２３３、２３４参照）とを備えている。支持フレーム２２は、裏板２１を介してシート１に緩衝性を与えるものであるため、通常、図示のように、ばね鋼線材から、前端部２２１と該前端部２２１から後方へ左右それぞれに延びて後端部２２２ａ、２２２ａを形成するようになった二叉部２２２とを有するなどのスプリング構造に曲げられてなっている。
【０００３】
このような特殊材料からなった線状のものは、それ自体に裏板２１と結合する構造を有するように作りにくいので、裏板２１の下面に、２つの後端部２２２ａ、２２２ａとなっている二叉部２２２の自由端部を係止するための係止部材２３１、２３１と、該２つの後端部２２２ａ、２２２ａを係止した後に前端部２２１を脱着可能に仮固定するための仮固定部材２３２、２３３と、仮固定した後に前端部２２１を更に固定して前記脱着を阻止するための固定部材２３４とが設けられて前記固着手段２３となっていて、それにより支持フレーム２２を裏板２１の下面に固着させている。
【考案の開示】
【考案が解決しようとする課題】
【０００４】
しかし、前記のような構造のシートの支持装置においては、裏板２１の下面に固着手段２３としての係止部材２３１、２３１と仮固定部材２３２、２３３とが設けられていなければならず、それに、図示のように、係止部材２３１、２３１は、その二叉部２２２の自由端部を係止するための係止孔２３１１、２３１１が横向きになっているため、裏板２１と共に一体成型でなすことができず、成型後に始めて孔開け加工を施さなければならないので、製作にかなり手間がかかるという欠点がある。
【０００５】
また、前記のような構造のシートの支持装置においては、支持フレーム２２を裏板２１の下面に固着させる際、まず二叉部２２２の自由端部を横から係止部材２３１、２３１の係止孔２３１１、２３１１に挿入してからそこに係止したまま前端部２２１を仮固定部材２３２、２３３により仮固定し、そしてねじ付け作業により固定部材２３４を裏板２１に固着させ、前端部２２１を固定するステップが必要であって非常にややこしいものである。
【０００６】
そこで、本考案は、前記欠点に鑑みて提案されたものであって、組み立ての作業が容易になるシートの支持装置を提供することを第１の目的とする。
【０００７】
そして、支持フレームの裏板下面への固着構造が簡単で裏板の成型に横向きの開孔が必要でないシートの支持装置を提供することを第２の目的とする。
【課題を解決するための手段】
【０００８】
前記第１の目的を達成するために、本考案は、シートの下面に取り付けられて該シートを下から支持するためのシートの支持装置であって、前記シートの下面に裏打ちとして取り付けられる裏板と、前記裏板の下面に固定された支持フレームとを具備し、また、前記固定は、前記裏板の下面及び前記支持フレームの上面それぞれの前後端近くに形成してある上結合部と下結合部とが上下相対向の方向で互いに結合することによって行われていることを基本構造としたシートの支持装置を提供する。
【０００９】
詳しくは、前記上結合部としては、前記裏板の下面の前後両端近くにそれぞれ第１の結合部及び第２の結合部が配置してあり、前記下結合部としては、前記支持フレームの上面の前後両端近くにそれぞれ第３の結合部及び第４の結合部が配置してあり、また、前記第１の結合部と前記第３の結合部とは、及び、前記第２の結合部と前記第４の結合部とは、それぞれ上下相対向の方向で互いに結合している。
【００１０】
また、前記第２の目的を達成するために、前記基本構造を基に、前記支持フレームを、ばね鋼線材から、前端部と該前端部から後方へ左右それぞれに延びてなった二叉部とを有する形に曲げられてなっている中段部と、他に該前端部を前から銜え付けた偏平スリーブ形の前段部と、他に該二叉部の両後端部を後ろから銜え付けた偏平スリーブ形の後段部とを有し、また、前記下結合部が前記前段部及び前記後段部それぞれの上面に形成してあるものにすることができる。
【００１１】
前記第２の目的を達成するための構成を利用して通常の二輪車や三輪車などの自転車に装着するための本考案のシートの支持装置は、更に、前記裏板が、先細のサドル形のものであり、前記支持フレームが、前段部と、中段部と、後段部とを有し、前記前段部及び後段部がそれぞれ前記裏板の前段部及び後段部と外形が上下ほぼ一致した２つの独立のものであり、前記中段部が前記前段部と後段部とを前後連結した左右一対のスプリングレバーを有するものになることが好ましい。
【考案の効果】
【００１２】
前記第１の目的を達成するための構成によるシートの支持装置は、前記裏板の下面及び前記支持フレームの上面それぞれに形成してある上結合部（前記第１の結合部及び第２の結合部）と下結合部（前記第３の結合部及び第４の結合部）とが上下相対向の方向で互いに結合することができるので、前記裏板と前記支持フレームとを直接に重ねて組み合わせればよいため、従来のような方式に比べ、組み立ての作業が容易になる効果が得られる。
【００１３】
前記第２の目的を達成するための構成における前記支持フレームは、その前段部及び後段部がそれぞればね鋼線材からなった中段部の前端部及び後端部を前後から銜え付けてなり、特に、前記前段部及び後段部がそれぞれ前記裏板の前段部及び後段部と外形が上下ほぼ一致した２つの独立のものであり、前記中段部が前記前段部と後段部とを前後連結した左右一対のスプリングレバーからなったものになった場合、前記下結合部は、前記前段部及び前記後段部それぞれの上面に前記上結合部と上下相対向の方向で互いに丈夫に結合する構造になるように形成されることができ、支持フレームの裏板下面への固着を簡単にし、裏板の成型に横向きの開孔が必要ないようにすることができる。
【考案を実施するための最良の形態】
【００１４】
以下、添付図に示す実施の形態に基づいて本考案を詳細に説明する。
【００１５】
この実施の形態については、通常の二輪車や三輪車などの自転車のシートに装着するのに適切な本考案の一実施形態のシートの支持装置を説明する。図２は、該実施の形態の分解斜視図である。図３は、図２の実施の形態における支持フレームの上面図である。図４は、図２の実施の形態を前方から斜めに見た斜視図である。なお、以下の説明において、略同一の機能及び構成を有する部品に同一符号を付し、その詳細は省略する。
【００１６】
図２に示すように、該シートの支持装置は、シートの下面に取り付けられてシートを下から支持するためのシートの支持装置であって、シートの下面に裏打ちとして取り付けられる裏板３と、裏板３の下面３１に固定された支持フレーム４とからなっている。
【００１７】
裏板３は、先細のサドル形のものである。
【００１８】
支持フレーム４は、前段部４２と、中段部４３と、後段部４４とからなっている。中段部４３は、ばね鋼線材から、前端部４３１と該前端部４３１から後方へ左右それぞれに延びてなった二叉部４３２とを有する形に曲げられてなったものである。前段部４２は、独立体として他に該前端部４３１を前から銜え付けた偏平スリーブ形のものである。後段部４４は、独立体として他に該二叉部４３２の両後端部を後ろから銜え付けた偏平スリーブ形のものである。即ち、支持フレーム４は、外観だけから見れば、前段部４２と、後段部４４と、前段部４２と後段部４４との間に延在してそれらを前後連結した左右一対のスプリングレバー（即ち、図３における二叉部４３２の目で見える部分）からなったものと見える。また、前段部４２及び後段部４４はそれぞれ裏板３の前段部３２及び後段部３３と外形が上下ほぼ一致したものである。
【００１９】
また、前記裏板３と支持フレーム４との間の固定は、裏板３の下面３１及び支持フレーム４の上面（４２Ａ、４４Ａ参照）それぞれの前後端近くに形成してある上結合部（３２１、３３１、３３１参照）と下結合部（４２１、４４１、４４１参照）とが上下相対向の方向で互いに結合することによって行われている。
【００２０】
前記上結合部は、裏板３の前段部３２及び後段部３３の下面３１Ａ、３１Ｂにそれぞれ配置してある第１の結合部３２１及び第２の結合部３３１、３３１を言い、前記下結合部は、支持フレーム４の前段部４２及び後段部４４それぞれの上面４２Ａ、４４Ａに配置してある第３の結合部４２１及び第４の結合部４４１、４４１を言う。
【００２１】
第１の結合部３２１及び第２の結合部３３１、３３１は、すべて下へ突出してなった雌ねじ付きの円筒状突起である。
【００２２】
第３の結合部４２１及び第４の結合部４４１、４４１は、すべて上へ突出してなり、且つ上端が支持フレーム４の上側へ下端が支持フレーム４の下側へと開口している円筒状突起である。
【００２３】
そして、第１の結合部３２１は第３の結合部４２１に、第２の結合部３３１、３３１は第４の結合部４４１、４４１に上から下へと挿入されている。また、支持フレーム４の下面に、第３の結合部４２１及び第４の結合部４４１、４４１それぞれの下開口４２１Ａ、４４１Ａ、４４１Ａから挿入され、第１の結合部３２１及び第２の結合部３３１、３３１それぞれの雌ねじとねじ合って支持フレーム４を裏板３に固定した第１及び第２のスクリュー４２２、４４２、４４２がついている。
【００２４】
前記各結合部のほかに、裏板３の下面３１に（ここでは後段部３３の下面３１Ｂに）更に下へ突出してなり、且つ下端が裏板３の下側へ上端が裏板３の上側へと開口している第１の円筒状補助突起３３２が形成してあり、支持フレーム４の上面に（ここでは後段部４４の上面４４Ａに）更に上へ突出してなった雌ねじ付きの第２の円筒状補助突起４４３が形成してある。第２の円筒状補助突起４４３は第１の円筒状補助突起３３２に下から上へと挿入されている。また、裏板３の上面に、第１の円筒状補助突起３３２の上開口３３２Ａから挿入され、第２の円筒状補助突起４４３の雌ねじとねじ合って支持フレーム４を裏板３に固定した第３のスクリュー３３３がついている。
【００２５】
即ち、裏板３の下面３１と支持フレーム４の上面との間に前記のように上下相対向の方向で互いに結合するねじ付け凹凸構造が設けられているので、裏板３と支持フレーム４との固定は簡単で効果的である。
【００２６】
次に、前記実施の形態の変形例を説明する。図５は、図２の実施の形態に更にクッションシートを備えた変形例の分解斜視図である。図６は、図５の変形例の側面図である。
【００２７】
図５及び図６に示すように、前記実施形態において、支持フレーム４の前段部４２及び後段部４４はそれぞれ裏板３の前段部３２及び後段部３３の下面３１Ａ、３１Ｂにクッションシート６、６を介して当たっている。こういうクッションシート６、６により、支持フレーム４と共に衝撃を吸収することができるので、従来の支持フレーム４としてのばね鋼線材のみで衝撃を吸収するものより緩衝効果が一層優れて乗り心地を良くすることができ、そのうえ、裏板３と支持フレーム４との間の摩耗を減少することもできる。
【００２８】
以上、実施形態に基づいて説明したが、本考案は前記実施形態に限定されるものではない。例えば、前記実施形態において、各結合部はねじ付けの凹凸構造に構成されているのを例示したが、凹凸構造だけでも、あるいはねじ付けに代えて接着剤を使用しても、同じく前記のような固定効果を達成することができればよい。即ち、本考案の前記特徴及び目的から離脱しなければ、種々の変形や変更が可能である。
【産業上の利用可能性】
【００２９】
本考案のシートの支持装置は、従来のものに比べ、組み立ての作業が容易で円滑になり、組み立て性を向上させた効果が得られ、また、支持フレームの裏板下面への固着を簡単にさせ、裏板の成型に横向きの開孔が必要でないようにさせることができる。
【図面の簡単な説明】
【００３０】
【図１】従来例のシートの支持装置の説明図。
【図２】本考案に係るシートの支持装置の一実施の形態の分解斜視図。
【図３】図２の実施の形態における支持フレームの上面図。
【図４】図２の実施の形態を前方から斜めに見た斜視図。
【図５】図２の実施の形態に更にクッションシートを備えた変形例の分解斜視図。
【図６】図５の変形例の側面図。
【符号の説明】
【００３１】
３…裏板、３１…（裏板の）下面、３１Ａ…（前段部３２の）下面、３１Ｂ…（後段部３３の）下面、３２…（裏板の）前段部、３２１…第１の結合部（上結合部）、３３…（裏板の）後段部、３３１…第２の結合部（上結合部）、３３２…第１の円筒状補助突起、３３２Ａ…上開口、３３３…第３のスクリュー、４…支持フレーム、４２…前段部、４２１…第３の結合部（下結合部）、４２１Ａ…下開口、４２２…第１のスクリュー、４２Ａ…（前段部４２の）上面、４３…中段部、４３１…前端部、４３２…二叉部、４４…後段部、４４１…第４の結合部（下結合部）、４４１Ａ…下開口、４４２…第２のスクリュー、４４３…第２の円筒状補助突起、４４Ａ…（後段部４４の）上面、６…クッションシート。
【図１】
0003112830.tif 000003
【図２】
0003112830.tif 000004
【図３】
0003112830.tif 000005
【図４】
0003112830.tif 000006
【図５】
0003112830.tif 000007
【図６】
0003112830.tif 000008